(57)【要約】【課題】  この発明は、左のドアミラー１の一端にボールジョイント４を付けて、ボールジョイント４に補助鏡６のボール受け穴９をはめて付けて、車の左のフロントの側面とフロントのタイヤと左のフロントの側面の道路を補助鏡６に映して、補助鏡６の鏡７に映った画面を見ながら前進で車の幅寄せが出来る補助鏡に関するものである。【解決手段】  車の左のドア２３にドアミラー１の底面にボールジョイント４を付けて、ボールジョイント４にボール受け穴９をはめて補助鏡６をドアミラー１に付けて、ボールジョイント４を軸に補助鏡６を運転者の使用しやすい位置に動かして車２２の左のフロントの側面と左のフロントの側面の下の道路を補助鏡６の鏡７に映った画面を見ながら車の幅寄せをする補助鏡【選択図】図１２
2012183986.tif 000002
【特許請求の範囲】
【請求項１】
イ、図１、ボールジョイント４の一端に角型ボルト２１とネジ５を設ける。
ロ、図６、補助鏡６に斜面を付けた台８を設ける。
ハ、図６、台８の斜面に、半径よりも深く、入り口よりも奥に入って大きいボール受け穴９をあける。
ニ、図６、ボール受け穴９の入り口の穴の縁をボール入り口の穴２０に設定する。
ホ、図４、台８の端から、ボール受け穴９までつながった溝１０を台８にあける。
ヘ、図４、台８の側面の片面にネジ穴１１をあけて反対の側面にばか穴１２をあける。
ト、図６、補助鏡６の鏡７を凸面鏡にする。
チ、図７、ドアミラー１の一端にネジ穴１４をあけて、ドア取り付け台３を図１２、車２２の左のフロントドア２３に付けてフロントドア２３にドアミラー１を付ける。
リ、ネジ穴１４にネジ５をネジ込んでドアミラー１にボールジョイント４を付ける。
ヌ、図６、ボール入り口の穴２０を図９、ボールジョイント４の下から押し上げてボール受け穴９をボールジョイント４にはめてドアミラー１に補助鏡６を付ける。
ル、図９、補助鏡６の鏡７を図１２、車２２の左のフロントの側面に向ける。
オ、図１２、車２２の左のフロントの側面に向けた補助鏡６の底を車２２の左のフロントの側面の反対に傾けて設定する。
ワ、図１０、設定が終ったら、ネジ１９を締めて台８をはさんで、ボール受け穴９に入っているボールジョイント４を強くはさんでドアミラー１に補助鏡６を固定する。
以上のように構成されたドアミラーに付けた補助鏡の装置。
【発明の詳細な説明】
【技術分野】
【０００１】  この発明は、車の幅寄せのときに使うドアミラーに付けた補助鏡に関するものである。
【背景技術】
【０００２】  従来、車の左のフロントの側面とフロントの下の道路を見ながら車の幅寄せの出来るドアミラーに付けた補助鏡は、ドアミラーに固定して付けてある。
又、ドアミラーの鏡に直接着ける補助鏡も有るが、車の左のフロントの側面と道路を映して見ることが出来なかった。
【発明が解決しようとする課題】
【０００３】  従来、車のドアミラーに直接付けて車の左のフロントの側面と、左のフロントの側面の下の道路を映して見ることの出来る補助鏡はあるが、ドアミラーに固定して付けてあるために、補助鏡の付いている位置に運転者が合せて使用しなければならなかった。
そのために補助鏡の付いている位置に合わない人が補助鏡を見ながら車の幅寄せをすると、運転姿勢が悪くなって危険な運転姿勢になる欠点があった。
又、ドアミラーの鏡に付けて使う補助鏡もあるが、車の左のフロントの側面と、左のフロントの側面の下の道路を映して画面を見て車の幅寄せをすることが出来ないために前進で車の幅寄せをするときは勘で車の幅寄せをしていた。そのために、車を側溝に脱輪したり、縁石に乗り上げたり、縁石にホイルを接触したり、白線を跨いで停車する危険性があった。
【課題を解決するための手段】
【０００４】イ、図１、ボールジョイント４の軸の一端に角型ボルト２１とネジ５を設ける。
ロ、図６、補助鏡６の一端に斜面の台８を設ける。
ハ、図６、斜面の台８に半径よりも深く、入り口の穴よりも奥に入って球面の穴の大きいボール受け穴９をあける。
ニ、図６、ボール受け穴９の入り口の穴の縁をボール入り口の穴２０に設定する。
ホ、図４、台８の端から、ボール入り口の穴２０とボール受け穴９までつながって切り込んだ溝１０を台８にあける。
ヘ、図４、台８の斜面の一端にネジ穴１３をあけて、側面の片側にネジ穴１１をあけて、反対の側面にばか穴１２をあける。
ト、図６、補助鏡６の鏡７に凸面鏡を付ける。
チ、図７、底面にネジ穴１４をあけたドアミラー１のドア取り付け台３を図１２、左のフロントドア２３に付けて、ドアミラー１を車２２の左のフロントドア２３に付ける。
リ、図８、ネジ穴１４に、座金１６と、バネ座金１７を入れたネジ５をネジ込んでドアミラー１にボールジョイント４を付ける。
ヌ、図９、ボールジョイント４の下からボール入り口の穴２０を合せて補助鏡６を押し上げてボール受け穴９をボールジョイント４にはめて、ドアミラー１に補助鏡６をぶら下げて付ける。
オ、図９、ドアミラー１に付けた補助鏡６の鏡７をボールジョイント４を軸に動かして図１２、車２２の左のフロントの側面に向ける。
ワ、図１２、車２２の左のフロントの側面に向けた補助鏡６の底を左のフロントの側面の反対方向に傾けて、補助鏡６の鏡７の上部に車２２の左のフロントの側面とフロントのタイヤが映るようにして、下部に左のフロントの側面の下の道路が映るように設定して、鏡７に左のフロントの側面と、左のフロントの側面の下の道路が一緒に映るようにする。
カ、設定が終ったら、図１１、台８に付けたネジ１９を締めて、ボール受け穴９に入っているボールジョイント４を強くはさんでドアミラー１に補助鏡６を固定する。
ヨ、図１０、角度調整ネジ１８をドアミラー１の底面に当てて角度を固定する。
【発明の実施と形態】
【０００５】  図１２、車２２に付けたドアミラー１のボールジョイント４の下から図９ボール入り口の穴２０を合せて補助鏡６を押し上げると、ボール入り口の穴２０の穴の縁とボール受け穴９と溝１０が同じに広がってボール受け穴９にボールジョイント４が入って復元して元に戻り、ボール受け穴９はボールジョイント４をはさみ、ボール入り口の穴２０の穴の球面の縁は半径を越してネジ５に向かって小さいボールジョイント４の球面に被さってはさみ、半径に向かって大きいボールジョイント４の球面にボール入り口の穴２０の穴の球面と縁がつかえて外れなくなり、ドアミラー１に補助鏡６がぶら下がって付く。
図９、ボールジョイント４を軸に補助鏡６を動かして補助鏡６の鏡７を図１２、車２２の左のフロントの側面に向けて、補助鏡６の底を車２２の左のフロントの側面の反対に傾けて補助鏡６の鏡７の上部に車２２の左のフロントの側面とフロントのタイヤが映るようにして、下部に車２２の左のフロントの側面の下の道路が映るように設定する。
設定が終ったら補助鏡６の鏡７を運転者の使用しやすい角度や、方向に微調整をして台８のネジ１９を締めてボール受け穴９にボールジョイント４を強くはさんでドアミラー１に補助鏡６を固定させる。
固定が終ったら角度調整ネジ１８をドアミラー１の底面に当てて補助鏡６の角度を固定する。
設定が終った補助鏡６の鏡７の画面を見ながら車２２を道路の左の端に幅寄せをすると、補助鏡６の鏡７の上部に映った車２２の左のフロントの側面の下に道路の端が接近して来るように映る。
補助鏡６の鏡７の上部に映った車２２の左のフロントの側面の下に道路の端が近く映れば、近く映るほど幅寄せをした車２２が道路の端に寄っている。
又、幅寄せをした車２２の左のフロントの側面の下に白線が隠れると、車２２の左のフロントのタイヤが白線の上に乗っている。
車２２を前進で幅寄せをするときは、補助鏡６の鏡７に映った画面を見ながら車を道路の端に寄せて、ドアミラー１の鏡２の画面と、補助鏡６の鏡７の画面を交互に見て車２２が道路の端に平行に寄っているか、いないかを確認をする。
又、バックで車の幅寄せをするときは、ルームミラーで後方の安全を確認してドアミラー１を見ながら、ゆっくりと左にハンドルを切って道路の端に車を寄せて、車が寄ったら補助鏡６の鏡７の画面と、ドアミラー１の鏡２の画面を交互に見て道路の端に車が平行に寄っているか、いないかを確認する。
以上のような方法で補助鏡に映った画面を見ながら車の幅寄せが出来る補助鏡。
【発明の効果】
【０００６】  本発明は、ボールジョイント４を軸に補助鏡６を運転者の使用しやすい方向や角度に微調整して運転者に合せて補助鏡６の鏡７を設定することが出来るために、無理のない運転姿勢で補助鏡６の鏡７の画面を見ながら安全に前進で車の幅寄せが出来る効果がある。
又、従来、車の運転席から見えなかった車の左のフロントの側面と、左のフロントのタイヤと、左のフロントの側面の下の道路を補助鏡６の鏡７に映して鏡７の画面を見ながら前進で車の幅寄せが出来るために、狭い道路で対向車と交差するときや、車を前進で幅寄せをしたりするときに道路の端に寄りすぎて車が側溝に脱輪したり、縁石に車を乗り上げたり、縁石にホイルを接触させたり、白線を跨いで車を停車する事故を防止することが出来る効果がある。
補助鏡を見て車の幅寄せをすると、補助鏡６の鏡７に映った画面が運転者の視線の正面に見えるために鏡７に映った画面を正格に見て安全に車の幅寄せをすることが出来る。
【本発明は次のごときことが出来る】
【０００７】  図１４、ボールジョイント４を台２４に付けて図１５ドアミラー１の底面に台２４をネジ２６で取り付けることも出来る。
従来の車に付いているドアミラーの底面にネジ穴をあけてボールジョイント４のネジ５をネジ込んで、ボールジョイント４を付けることも出来る。
ドアミラーとボールジョイントを一体にしてボールジョイントを付けたドアミラーを作ることも出来る。
【図面の簡単な説明】
【図１】  本発明の正面図
【図２】  本発明の側面図
【図３】  本発明の側面図
【図４】  本発明の平面図
【図５】  本発明の一部カットした底面図
【図６】  本発明の側面図
【図７】  本発明の正面図
【図８】  本発明の正面図
【図９】  本発明の正面図で一部側面図
【図１０】  本発明の正面図で一部側面図
【図１１】  本発明の一部カットした背面図
【図１２】  本発明の一部カットした正面図
【図１３】  本発明の平面図
【図１４】  本発明の側面図
【図１５】  本発明の正面図で一部側面図
【符号の説明】１は  ドアミラー
２は  鏡
３は  ドア取り付け台
４は  ボールジョイント
５は  ネジ
６は  補助鏡
７は  鏡
８は  台
９は  ボール受け穴
１０は  溝
１１は  ネジ穴
１２は  ばか穴
１３は  ネジ穴
１４は  ネジ穴
１５は  ネジの台
１６は  座金
１７は  バネ座金
１８は  角度調整ネジ
１９は  ネジ
２０は  ボール入り口の穴
２１は  角型ボルト
２２は  車
２３は  左のフロントドア
２４は  ボールジョイントを付けた台
２５は  ばか穴
２６は  ネジ
【図１】
2012183986.tif 000003
【図２】
2012183986.tif 000004
【図３】
2012183986.tif 000005
【図４】
2012183986.tif 000006
【図５】
2012183986.tif 000007
【図６】
2012183986.tif 000008
【図７】
2012183986.tif 000009
【図８】
2012183986.tif 000010
【図９】
2012183986.tif 000011
【図１０】
2012183986.tif 000012
【図１１】
2012183986.tif 000013
【図１２】
2012183986.tif 000014
【図１３】
2012183986.tif 000015
【図１４】
2012183986.tif 000016
【図１５】
2012183986.tif 000017